(57)【要約】 【課題】  写真、絵画、ミラー等、収納物の壁面への取り付けを確実に行えると共に、これら収納物の取り替えも容易に行え、且つ、壁面への取り付け向きを縦位置と横位置の何れにも自由に変えることができるフレーム取付具を提供する。【解決手段】  圧制部材１との間に収納物４を挟着する本体フレーム２を壁面Ｗに取り付けるための取付具であって、前記本体フレーム２の角状開口部６に着脱自在に嵌着される矩形状の裏板３と、壁面Ｗに取り付けられる取付板５とで構成されている。前記裏板３の裏面に、前記取付板５と係合可能な係合部１５を有している。【選択図】    図３
2006109916.tif 000002
【特許請求の範囲】
【請求項１】
圧制部材との間に収納物を挟着する本体フレームを壁面に取り付けるための取付具であって、
前記本体フレームの開口部に着脱自在に嵌着される矩形状の裏板と、壁面に取り付けられる取付板とで構成されると共に、前記裏板に前記取付板と係合可能な係合部を設けたことを特徴とするフレーム取付具。
【請求項２】
前記裏板を正方形として、何れか一辺側に前記係合部を設けたことを特徴とする請求項１に記載のフレーム取付具。
【請求項３】
前記裏板の隣接二辺側にそれぞれ前記係合部を設けたことを特徴とする請求項１に記載のフレーム取付具。
【請求項４】
前記裏板の辺縁が前記本体フレームの開口段部に係着され、その上面に前記収納物が配置され、その上面が前記圧制部材により圧制されることにより前記裏板が前記本体フレームに固定されていることを特徴とする請求項１から請求項３までの何れかに記載のフレーム取付具。
【請求項５】
前記取付板は、ピン打ちのためのピン孔を備えており、且つ、前記ピン孔が前記壁面に対して斜め方向に形成されていることを特徴とする請求項１から請求項４までの何れかに記載のフレーム取付具。
【発明の詳細な説明】
【技術分野】
【０００１】
本発明は、ミラー、或いは、写真や絵画等を保持したフレーム（枠体）を壁面に取り付けるための取付具に関するものである。
【背景技術】
【０００２】
浴室などの壁面にミラーを取り付けるための構造として、例えば、特許文献１に開示されるように、取り付けに鉤形の固定金具を用いるものが広く知られている。
特許文献１では、ミラーの下端を支持する下部金具と、ミラーの上端を支持する上部金具を各一対壁面の所定の位置４箇所に固定すると共に、上部金具に長孔を設けておいて、上部金具をこの長孔に沿って上方に上げた状態で下部金具にミラーの下端を嵌め込んだ後、上部金具を下げてミラーの上端に係合させるようになっている。
ところが、このような固定金具による取り付けは、ミラーの上端を固定する上部金具が長孔により上下に動くためミラーの固定が不確実であること、ミラーを体裁良く壁面に支持・固定するための固定金具の位置決め・固定が難しく、ミラーの取付作業が煩雑であること、等の問題を有していた。
【０００３】
また、他方、絵画や写真等の壁面への取り付け手段として一般的に額縁が使用されている。例えば、特許文献２に開示されるように、絵画や写真等は額縁と裏板の間に挟持されると共に、額縁自体は裏面に取り付けた吊り紐を壁面の止め具等に引っ掛けて取り付けされるようになっている。また、裏板は、額縁周縁に取り付けた複数の保持部材（回動片）によって着脱自在に係止されており、収納した写真や絵画を取り替える場合は、壁面より額縁を取り外し、裏面の保持部材を回転して裏板を取り外した後、裏面より行うようになっている。
【０００４】
ところが、このような構造の額縁では、保持部材の取り扱いが面倒で写真や絵画を交換し難いこと、吊り紐による取り付けであるため安定保持に欠けること、さらには、額縁の壁掛け向きが吊り紐の取付位置により規定されているため、絵画や写真に応じて壁面への取り付け向き（縦位置／横位置）を変えたい場合に手間が掛かること、等の問題を有していた。
【特許文献１】実開平３−１２９３６２号公報
【特許文献２】特開２００４−２３０１８６号公報
【発明の開示】
【発明が解決しようとする課題】
【０００５】
本発明は、上記問題に鑑み成されたもので、写真、絵画、ミラー等、収納物の壁面への取り付けを確実に行えると共に、これら収納物の取り替えも容易に行え、且つ、壁面への取り付け向きを縦位置と横位置の何れにも簡便に変えることができるフレーム取付具を提供することを目的としている。
【課題を解決するための手段】
【０００６】
すなわち、請求項１に記載の本発明は、圧制部材との間に収納物を挟着する本体フレームを壁面に取り付けるための取付具であって、前記当該本体フレームの開口部に着脱自在に嵌着される矩形状の裏板と、壁面に取り付けられる取付板とで構成されると共に、前記裏板に前記取付板と係合可能な係合部を設けたことを特徴としている。
【０００７】
また、請求項２に記載の本発明は、請求項１に記載のフレーム取付具において、前記裏板を正方形として、何れか一辺側に前記係合部を設けたことを特徴としている。
【０００８】
また、請求項３に記載の本発明は、請求項１に記載のフレーム取付具において、前記裏板の隣接二辺側にそれぞれ前記係合部を設けたことを特徴としている。
【０００９】
また、請求項４に記載の本発明は、請求項１から請求項３までの何れかに記載のフレーム取付具において、前記裏板の辺縁が前記本体フレームの開口段部に係着され、その上面に前記収納物が配置され、その上面が前記圧制部材により圧制されることにより前記裏板が前記本体フレームに固定されていることを特徴としている。
【００１０】
また、請求項５に記載の本発明は、請求項１から請求項４までの何れかに記載のフレーム取付具において、前記取付板は、ピン打ちのためのピン孔を備えており、且つ、前記ピン孔が前記壁面に対して斜め方向に形成されていることを特徴としている。
【発明の効果】
【００１１】
請求項１に記載の発明によれば、本体フレームと取付板が係合機構により着脱自在と成されているため、写真や絵画、或いはミラー等、収納物の取り替えは本体フレームを壁面より取り外すことで容易に行える。
【００１２】
また、請求項２または請求項３に記載の発明によれば、上記効果に加え、本体フレームの壁面への取り付け向きを縦位置と横位置に自由に、且つ簡便に変更することができるため、様々な収納物に対応でき、極めて使い勝手が良い。
特に、請求項２に記載の構成のように、裏板の形状を正方形にすることにより、裏板の本体フレームへの取り付けが縦横自在となり、裏板の取り付け向きを９０°回転することで縦位置／横位置の取り付けが自由にできると共に、裏板の取付板に対する係合機構を簡略化することができる。
【００１３】
また、請求項４に記載の発明によれば、上記効果に加え、裏板および収納物を本体フレームへ確実に固定することができる。
【００１４】
また、請求項５に記載の発明によれば、壁面への取り付けにピンを使用することにより、石膏ボードクロス壁にも壁面を不用意に傷つけることなく簡便に取り付けすることができ、且つ、ピンを斜めに打ち付けるようにしたので、取付板の壁面への固定は確実となり、本体フレームを壁面に確実に取り付けることができる。
【発明を実施するための最良の形態】
【００１５】
以下、図１〜図７に基づいて本発明に係るフレーム取付具の実施の形態を説明する。本実施形態のフレーム取付具は、内部にミラーが収納されて室内の壁面に取り付けられる壁掛けミラーに適用されるものである。
【００１６】
本壁掛けミラー２０は、図１〜図３に示すように、例えば、透明アクリル樹脂板により成る前面部の圧制部材１との間にミラー４を収納して挟持する合成樹脂製の本体フレーム２と、当本体フレーム２の角状開口部６に着脱自在に嵌着される合成樹脂製の裏板３と、壁面Ｗに固定される合成樹脂製の角形取付板５とで概略構成されており、上記裏板３と上記取付板５とによって本発明のフレーム取付具が構成されている。
【００１７】
本実施形態では、この裏板３の形状を正方形とし、その裏面（壁面Ｗとの対向面側）に、図４に示すような一辺３ａ側に向けた凸形の陥没部１０を形成すると共に、この凸部分の両縁に係合片１０ａ、１０ａを設けて取付板５のＬ形係合突起１１、１１が係合する係合部１５を構成している。また、この取付板５の４箇所には、ピン孔１２が壁面Ｗに対して斜め方向に形成されていると共に、壁面Ｗとの対向面側に仮止め用の両面テープ１４が貼着されている。
【００１８】
上記構成の壁掛けミラー２０を組み立てるには、図２、図３に示すように、先ず、本体フレーム２の前面より角状開口部６に裏板３を落とし込んで嵌め込む。この際、裏板３の係合部１５（係合片１０ａ）が本体フレーム２の短辺側に向くようにする。裏板３を角状開口部６に嵌め込むことにより、裏板３の辺縁がその開口段部２ｂに係着された状態で保持される。
次ぎに、この裏板３の上面にミラー４を配置する。ミラー４は、本体フレーム２の外側段部２ａに嵌着させることができ、且つ、ミラー４を外側段部２ａに嵌着することにより、本体フレーム２の枠面と鏡面を同一平面上に位置させることができる。
次ぎに、ミラー４の上面に透明アクリル樹脂板による圧制部材１を配置する。この圧制部材１は、本体フレーム２と同寸法の角状平板材であって、その四隅を組ネジ７にて本体フレーム２に固定する。すなわち、本体フレーム２の裏側より雄ねじ７ａを差し込んで表側より雌ねじ７ｂにて締め付ける。
【００１９】
上記構造では、圧制部材１と本体フレーム２の間に裏板３と収納物４が挟持・固定されるため、収納物４の本体フレーム２内部への固定強度は高く、絵画や写真は勿論のこと、ミラーのように比較的重量の大きな収納物４であっても、本体フレーム２の内部に収納した状態でガタ付きなく確実に保持・固定することができる。
尚、本実施形態では、上記圧制部材１として本体フレーム２の全面を圧制するような平板材を用いたが、特に、収納物４がミラーのような場合は、その周縁のみを圧制するような枠材を用いても良い。
【００２０】
続いて、取付板５を壁面Ｗに取り付ける。取付板５の取り付けは、先ず、裏面の両面テープ１４により取付板５を壁面Ｗの所望の箇所に仮止めする。取り付け対象が石膏ボードクロス壁の場合は、取付板５に設けたピン孔１２を使用し、上下左右の４箇所をピン９止めすることができる。各ピン孔１２は壁面Ｗに対して斜め方向に形成されており、ピン９はピン孔１２に沿うように斜めに打ち付ける。これにより、ピンの緩みを防止することができ、取付板５の壁面Ｗへの固定は確実となる。
尚、木製壁面等の場合は、取付板５のネジ孔１３を使用し、木ネジにて左右２箇所をネジ止めすることもできる。また、接着剤による取り付けも可能である。
【００２１】
次ぎに、壁面Ｗに固定した取付板５に組み立てを終えた壁掛けミラー２０を取り付ける。取り付けは、図４に示すように、取付板５の係合突起１１、１１に裏板３の係合片１０ａ、１０ａを係合させて係合突起１１の先端部１１ａに係合部１５の端部１５ａが当接するまで本体フレーム２を下方に引き下げ、壁掛けミラー２０を壁面Ｗに対して縦位置に保持させる。
この取り付け状態において、裏板３の裏面に設けた凸状突き当部８が壁面Ｗに当接して裏板３の四隅を支持するため、壁面Ｗに取り付けた壁掛けミラー２０が不用意にガタ付くことはない。
【００２２】
このように、取付板５の係合突起１１と裏板３の係合片１０ａとの係合で、壁掛けミラー２０を壁面Ｗに着脱自在、且つ確実に取り付けることができる。また、壁面Ｗへの取り付け強度は高く、ミラーのように絵画や写真等に比べて重量の大きい収納物４が収納されていても本体フレーム２を壁面Ｗに確実に固定することができる。
しかも、従来の額縁の場合の吊り紐や壁面側の止め具、或いはミラーの場合の上部金具や下部金具等は不要であり、よって、壁面取り付け時の見た目は極めてスッキリしたものとなる。
【００２３】
また、裏板３と取付板５とが着脱自在であれば、圧制部材１やミラー４の清掃、或いは収納物４の取り替え等も本体フレーム２を壁面Ｗより取り外すことで容易に行える。尚、収納物４は本体フレーム２の前面より出し入れできることから、本体フレーム２を壁面Ｗに保持した状態でも収納物４の交換は可能である。
【００２４】
加えて、本実施形態では、裏板３の形状を正方形としていることから、本体フレーム２の壁面Ｗへの取り付け向きを変えたい場合は、図５に示すように、裏板３の本体フレーム２への取り付け向きを９０°回転すれば横位置の取り付けとなる。即ち、裏板３の係合片１０ａが本体フレーム２の長辺側に向くように裏板３を本体フレーム２の角状開口部６に嵌着し直せば良い。
このように、本実施形態では、裏板３の取り付け向きを９０°回転するだけで縦位置／横位置の何れの取り付けにもでき、収納物４によって自由に対応することができると共に、裏板３の取付板５に対する係合機構を簡略化することができる。
【００２５】
また、本体フレーム２の壁面Ｗへの取り付け向きを縦／横自在とするには、上記構造の他、図６、図７に示すように、裏板３（裏板３の形状は長方形としても良い）の隣接二辺側３ａ、３ｂ（本体フレーム２の長辺側および短辺側）にそれぞれ係合部１５を設けた構造とし、取り付け向きに応じて各係合部１５を使い分けるようにしても良い。各係合部１５の構造は図４と同様とし、陥没部１０の所定の部位に形成した係合片１０ａ、１０ａで構成することができる。尚、図６は縦位置の取り付けを示し、図７は横位置の取り付けを示している。また、本構成の場合は、本体フレーム２と裏板３の一体化が可能である。
【００２６】
また、取付板５の壁面Ｗへの取り付けは、上記同様、ピン孔１２やネジ孔１３を使用してピン止めやネジ止めにより行うが、図６、図７に示すように、取付板５の一端側にリング状の引掛部１６を設けておいて、この引掛部１６を壁面Ｗのフック金具等に引っ掛けて保持するような構造にしても良い。
【００２７】
以上、本実施形態のフレーム取付具では、本体フレーム２の内部にミラー４を収納した壁掛けミラー２０について説明したが、本発明がミラー４の他、絵画や写真等を収納するフレームに適用できることは勿論である。
【図面の簡単な説明】
【００２８】
【図１】本発明が適用された壁掛けミラーの正面図。
【図２】同、壁掛けミラーの縦取り付けを示す裏面図。
【図３】同、壁掛けミラーの構造および壁面への取り付けを示す縦断面図。
【図４】同、壁掛けミラーの裏板と取付板の係合機構を示す図。
【図５】同、壁掛けミラーの横取り付けを示す裏面図。
【図６】図２とは別の壁掛けミラーの縦取り付けを示す裏面図。
【図７】同、壁掛けミラーの横取り付けを示す裏面図。
【符号の説明】
【００２９】
１  圧制部材
２  本体フレーム
２ｂ  開口段部
３  裏板
４  収納物（ミラー、絵画、写真）
５  取付板
６  開口部（角状開口部）
９  ピン
１２  ピン孔
１５  係合部
Ｗ  壁面
【図１】
2006109916.tif 000003
【図２】
2006109916.tif 000004
【図３】
2006109916.tif 000005
【図４】
2006109916.tif 000006
【図５】
2006109916.tif 000007
【図６】
2006109916.tif 000008
【図７】
2006109916.tif 000009